(57)【要約】      （修正有）【課題】冷却室の底を清掃しやすい冷蔵ショーケースを提供する。【解決手段】冷蔵ショーケース１は、商品が陳列される陳列室２と、陳列室２の下に配置される冷却室３とを有するショーケース１０と、陳列室２と冷却室３を区画する区画壁１１と、冷却室３の底３１に置かれたエバポレータ４と、エバポレータ４を持ち上げて保持することが可能なリフト機構６と、を備える。これにより、清掃時に、エバポレータ４の下に手を入れやすくすることができる。【選択図】図１
0003187428.tif 000002
【実用新案登録請求の範囲】
【請求項１】
商品が陳列される陳列室と、前記陳列室の下に配置される冷却室とを有するショーケースと、
前記陳列室と前記冷却室を区画する区画壁と、
前記冷却室の底に置かれたエバポレータと、
前記エバポレータを持ち上げて保持することが可能なリフト機構と、を備えることを特徴とする冷蔵ショーケース。
【請求項２】
前記リフト機構は、前記エバポレータ全体を前記冷却室の底から離間させて保持するように構成されたことを特徴とする請求項１に記載の冷蔵ショーケース。
【請求項３】
前記エバポレータは、長尺状に形成され、
前記リフト機構は、前記エバポレータの長手方向における一端側と他端側にそれぞれ設けられていることを特徴とする請求項１または請求項２に記載の冷蔵ショーケース。
【請求項４】
前記冷却室に設けられ、前記ショーケース内の空気を循環させるファンを備え、
前記ファンは、前記エバポレータに支持されていることを特徴とする請求項１から請求項３のいずれか１項に記載の冷蔵ショーケース。
【請求項５】
前記リフト機構は、一端が前記ショーケースに回動可能に支持され、他端に把持部を有するレバーと、前記レバーと前記エバポレータを連結する第１リンクとを有し、
前記第１リンクは、一端が前記レバーの回動軸と前記把持部との間の位置で前記レバーに回動可能に連結され、他端が前記レバーとの連結部より上で前記エバポレータに回動可能に連結されていることを特徴とする請求項１から請求項４のいずれか１項に記載の冷蔵ショーケース。
【請求項６】
前記エバポレータが持ち上げられたときに、前記リフト機構に当接して、前記レバーの回動を規制するストッパをさらに備えることを特徴とする請求項５に記載の冷蔵ショーケース。
【請求項７】
前記ストッパは、前記レバーを上方へ回動させた際、前記レバーと前記第１リンクの連結部が、前記レバーの回動軸と前記第１リンクの前記エバポレータとの連結部とを結ぶ線を越えたあとに、前記リフト機構に当接するように設けられていることを特徴とする請求項６に記載の冷蔵ショーケース。
【請求項８】
前記ストッパは、前記レバーに設けられていることを特徴とする請求項６または請求項７に記載の冷蔵ショーケース。
【請求項９】
前記リフト機構は、前記ショーケースと前記エバポレータを連結する第２リンクをさらに有し、
前記第２リンクは、前記第１リンクとは異なる位置で前記エバポレータに連結され、持ち上げられた前記エバポレータを支持するように構成されていることを特徴とする請求項５から請求項８のいずれか１項に記載の冷蔵ショーケース。
【請求項１０】
前記リフト機構は、スプリングステーを含んで構成されていることを特徴とする請求項１から請求項４のいずれか１項に記載の冷蔵ショーケース。
【考案の詳細な説明】
【技術分野】
【０００１】
本考案は、エバポレータを備える冷蔵ショーケースに関する。
【背景技術】
【０００２】
従来、生鮮食品などを陳列する冷蔵ショーケースには、商品が陳列される陳列室の下に、ショーケース内の空気を冷却するエバポレータが備えられた冷却室を有しているものが知られている（例えば、特許文献１参照）。
【先行技術文献】
【特許文献】
【０００３】
【特許文献１】特開２００７−１５９７５５号公報
【考案の概要】
【考案が解決しようとする課題】
【０００４】
ところで、食品を保管する冷蔵ショーケースは、定期的に拭き掃除などの清掃を行う必要がある。しかしながら、上述した技術においては、エバポレータが冷却室の底に固定されていたため、エバポレータの下に手が入らず、冷却室の底全体を清掃することが難しかった。
【０００５】
そこで、本考案は、冷却室の底を清掃しやすい冷蔵ショーケースを提供することを目的とする。
【課題を解決するための手段】
【０００６】
前記目的を達成するため、本考案の冷蔵ショーケースは、商品が陳列される陳列室と、前記陳列室の下に配置される冷却室とを有するショーケースと、前記陳列室と前記冷却室を区画する区画壁と、前記冷却室の底に置かれたエバポレータと、前記エバポレータを持ち上げて保持することが可能なリフト機構と、を備える。
【０００７】
このように構成された冷蔵ショーケースによれば、清掃時に、リフト機構によりエバポレータを冷却室の底から離した状態にしておくことができるので、エバポレータと冷却室の底の間に手を入れやすくなる。これにより、冷却室の底を清掃しやすくなる。
【０００８】
また、前記した冷蔵ショーケースにおいて、前記リフト機構は、前記エバポレータ全体を前記冷却室の底から離間させて保持するように構成されているのが望ましい。
【０００９】
このように構成された冷蔵ショーケースによれば、エバポレータ全体が持ち上げられるので、冷却室の底のエバポレータが載っていた部分全体を清掃することができる。
【００１０】
そして、前記したエバポレータは、長尺状に形成され、前記リフト機構は、前記エバポレータの長手方向における一端側と他端側にそれぞれ設けられていることが望ましい。
【００１１】
このように構成された冷蔵ショーケースによれば、長尺状のエバポレータであっても、全体を持ち上げることができる。
【００１２】
また、前記した冷蔵ショーケースは、前記冷却室に設けられ、前記ショーケース内の空気を循環させるファンを備え、前記ファンは、前記エバポレータに支持されていることが望ましい。
【００１３】
このように構成された冷蔵ショーケースによれば、エバポレータとともにファンも持ち上げることができるので、より広範囲で冷却室の底が露出して、清掃しやすくなる。
【００１４】
そして、前記した冷蔵ショーケースにおいて、前記リフト機構は、一端が前記ショーケースに回動可能に支持され、他端に把持部を有するレバーと、前記レバーと前記エバポレータを連結する第１リンクとを有し、前記第１リンクは、一端が前記レバーの回動軸と前記把持部との間の位置で前記レバーに回動可能に連結され、他端が前記レバーとの連結部より上で前記エバポレータに回動可能に連結されていることが望ましい。
【００１５】
このように構成された冷蔵ショーケースによれば、レバーを操作することでエバポレータが持ち上がるので、リフト機構の操作が簡単である。
【００１６】
また、前記したリフト機構がレバーと第１リンクを有する場合、前記冷蔵ショーケースは、前記エバポレータが持ち上げられたときに、前記リフト機構に当接して、前記レバーの回動を規制するストッパをさらに備えることが望ましい。
【００１７】
このように構成された冷蔵ショーケースによれば、エバポレータを持ち上げられた状態で保持することができる。
【００１８】
そして、前記したストッパは、前記レバーを上方へ回動させた際、前記レバーと前記第１リンクの連結部が、前記レバーの回動軸と前記第１リンクの前記エバポレータとの連結部とを結ぶ線を越えたあとに、前記リフト機構に当接するように設けてもよい。
【００１９】
このように構成することにより、エバポレータの自重を利用して、レバーの回動を規制することができる。
【００２０】
また、前記したストッパは、前記レバーに設けられていることが望ましい。
【００２１】
これによれば、ストッパをレバーと別個に設ける場合に比べて、構成を簡単にすることができる。
【００２２】
そして、前記したリフト機構は、前記ショーケースと前記エバポレータを連結する第２リンクをさらに備え、前記第２リンクは、前記第１リンクとは異なる位置で前記エバポレータに連結され、持ち上げられた前記エバポレータを支持するように構成されていることが望ましい。
【００２３】
これによれば、エバポレータを２箇所で支えることで、エバポレータと冷却室の底との間がより広がり、清掃しやすくなる。
【００２４】
前記したリフト機構は、スプリングステーを含んで構成されていてもよい。
【考案の効果】
【００２５】
本考案によれば、清掃時に、リフト機構によりエバポレータを冷却室の底から離した状態にしておくことができるので、エバポレータと冷却室の底の間に手を入れやすくなる。これにより、冷却室の底を清掃しやすくなる。
【図面の簡単な説明】
【００２６】
【図１】本考案の一実施形態に係る冷蔵ショーケースを示す断面図である。
【図２】リフト機構の動作を説明する図である。
【図３】変形例におけるエバポレータとスプリングステーを示す図である。
【考案を実施するための形態】
【００２７】
次に、本考案の一実施形態について、適宜図面を参照しながら詳細に説明する。
図１に示すように、冷蔵ショーケース１は、商品が陳列される陳列室２と、陳列室２の下に配置される冷却室３とを有するショーケース１０を備えている。
【００２８】
ショーケース１０は、陳列室２と冷却室３を区画する区画壁１１を有している。区画壁１１は、陳列室２の底となる底板１２と、複数の通気孔を有する通気孔板１３とから主に構成されている。そして、この底板１２と通気孔板１３は、ショーケース１０から取り外し可能となっている。
【００２９】
陳列室２には、商品が載せられる棚１４が設けられている。そして、陳列室２は、ショーケース１０の前面および後面に設けられたガラスや透明な樹脂からなる戸板１５を開けることにより、外部から手を入れることが可能となっている。
【００３０】
冷却室３には、エバポレータ４と、ファン５とが設けられている。エバポレータ４は、公知の構成を有する冷却器である。また、ファン５は、ショーケース１０内の空気を循環させるように構成されている。この冷却室３では、エバポレータ４で冷却した空気をファン５によって陳列室２へ送り出すことが可能となっている。
【００３１】
エバポレータ４は、冷却室３の底３１に置かれている。エバポレータ４は、左右方向に長い長尺状の冷却器本体４１と、冷却器本体４１の左右方向外側に配置される一対の側壁４２と、一対の側壁４２の左右方向外側に配置される一対の固定壁４３と、上壁４４と、上壁４４の前端部に連結された支持板４５とを有している。
【００３２】
一対の側壁４２は、冷却器本体４１を左右方向から挟むように設けられ、冷却器本体４１に固定されている。そして、各側壁４２は、前後方向に長く形成され、前端部が冷却器本体４１よりも前側に配置されている。
【００３３】
一対の固定壁４３は、下端が側壁４２の下端と連結され、側壁４２に固定されている。各固定壁４３は、左右方向から見て、冷却器本体４１と重なる位置に設けられている。
【００３４】
上壁４４は、冷却器本体４１の上面を覆うように配置されている。上壁４４は、前後方向における略中央部で折りたためるように、例えば、２枚の板が蝶番などによって連結されてなる。
【００３５】
支持板４５は、１枚の板からなり、左右両端部が冷却器本体４１の前方で一対の側壁４２の上に載っている。この支持板４５は、例えば蝶番によって上壁４４に連結され、上壁４４に対して回動可能になっている。
【００３６】
ファン５は、支持板４５の上に固定されている。つまり、ファン５は、エバポレータ４に支持されている。
【００３７】
そして、冷却室３には、エバポレータ４を持ち上げて保持することが可能なリフト機構６が備えられている。リフト機構６は、エバポレータ４の長手方向における一端側と他端側、すなわち、左端側と右端側にそれぞれ設けられている。
【００３８】
リフト機構６は、ショーケース１０に対して回動可能なレバー６２と、レバー６２とエバポレータ４を連結する第１リンク６３と、エバポレータ４とショーケース１０を連結する第２リンク６４とを有している。
【００３９】
レバー６２は、一端が冷却室３の底３１に回動可能に支持されている。このレバー６２の回動軸６２Ｂは、左右方向から見て、エバポレータ４の下部と重なる位置に配置されている。そして、レバー６２は、回動軸６２Ｂから冷却室３の底３１に沿って後方へ向けて延びた後、上方へ向けて延びている。そして、レバー６２の先端には、把持部６２Ａが設けられている。また、レバー６２は、回動軸６２Ｂ寄りの位置に、底３１側の端部からエバポレータ４側へ向けて突出するストッパ６２Ｃが設けられている。ストッパ６２Ｃは、レバー６２に沿って延びる板状に形成され、把持部６２Ａ側の端部は、後述する第１リンク６３とレバー６２の連結部６３Ａより回動軸６２Ｂから離れた位置に設けられている。
【００４０】
第１リンク６３は、一端がレバー６２に回動可能に連結され、他端がエバポレータ４の固定壁４３に回動可能に連結されている。具体的には、第１リンク６３とレバー６２の連結部６３Ａは、レバー６２の回動軸６２Ｂと把持部６２Ａの間の位置に設けられている。そして、第１リンク６３と固定壁４３の連結部６３Ｂは、エバポレータ４を持ち上げる前の状態で、第１リンク６３とレバー６２の連結部６３Ａより上に設けられている。また、第１リンク６３と固定壁４３の連結部６３Ｂは、左右方向から見て、冷却器本体４１の前後方向における略中央部と重なる位置に設けられている。
【００４１】
第２リンク６４は、一端部が冷却室３の底３１に回動可能に連結され、他端部が第１リンク６３とは異なる位置でエバポレータ４の固定壁４３に回動可能に支持されている。具体的には、第２リンク６４と冷却室３の底３１の連結部６４Ａは、レバー６２の回動軸６２Ｂの前方に設けられている。そして、第２リンク６４とエバポレータ４の固定壁４３との連結部６４Ｂは、第２リンク６４と冷却室３の底３１の連結部６４Ａから前方へ離れた位置、より詳細には、左右方向から見て、冷却器本体４１の前端の下部と重なる位置に設けられている。
【００４２】
以上のように構成された冷蔵ショーケース１の作用および効果について説明する。
冷蔵ショーケース１の清掃を行うときには、まず、戸板１５を開けて、底板１２および通気孔板１３を取り外す。これにより、冷却室３が露出する。
【００４３】
次に、図２（ａ）に示すように、支持板４５の前端部を持ち上げ、エバポレータ４の上に移動させる。このように支持板４５を移動させると、エバポレータ４の上壁４４が折り畳まれ、その上に支持板４５が載る。これにより、支持板４５とともにファン５も冷却器本体４１の上に載るため、その下に隠れていた冷却室３の底３１が露出する。
【００４４】
そして、エバポレータ４の左端部と右端部に設けられているリフト機構６を操作する。なお、リフト機構６は、片方ずつ操作してもよいし、両方を同時に操作してもよい。具体的には、把持部６２Ａを持ってレバー６２を上方へ回動させる。このとき、図２（ｂ）に示すように、第１リンク６３は、エバポレータ４の固定壁４３との連結部６３Ｂを中心に、レバー６２との連結部６３Ａが前方へ移動するように回動しながら上方へ移動する。これにより、エバポレータ４が持ち上げられる。
【００４５】
また、このとき、第２リンク６４は、エバポレータ４の上昇にともなって、冷却室３の底３１との連結部６４Ａを中心に、エバポレータ４の固定壁４３との連結部６４Ｂが上方へ移動するように回動し、エバポレータ４の前端を支持する。
【００４６】
さらにレバー６２を回動させると、図２（ｃ）に示すように、レバー６２と第１リンク６３の連結部６３Ａが、レバー６２の回動軸６２Ｂと第１リンク６３のエバポレータ４の固定壁４３との連結部６３Ｂを結ぶ線を越える。その後、第１リンク６３のレバー６２との連結部６３Ａと固定壁４３との連結部６３Ｂの間の部分に、ストッパ６２Ｃが後側から当接する。これにより、レバー６２の回動が規制される。
【００４７】
具体的には、図２（ｃ）の状態においては、エバポレータ４の自重によって、第１リンク６３の固定壁４３との連結部６３Ｂが下方に押される。これにより、第１リンク６３が、エバポレータ４との連結部６３Ｂを中心に、レバー６２との連結部６３Ａが前方へ向かう方向、すなわち、図２における反時計回りの方向へ回動しようとする。そして、第１リンク６３のレバー６２との連結部６３Ａがレバー６２を前方へ向けて押し、レバー６２が図２における時計回りの方向へ回動しようとする。ところが、第１リンク６３にストッパ６２Ｃが後方から当接するので、第１リンク６３は、ストッパ６２Ｃが引っ掛かって回動できず、レバー６２は、ストッパ６２Ｃが第１リンク６３に引っ掛かって回動できない。
【００４８】
また、レバー６２をこれ以上回動させようとしても、ストッパ６２Ｃが第１リンク６３に引っ掛かるので、動かない。
【００４９】
以上により、エバポレータ４の自重を利用して、エバポレータ４が持ち上げられた状態で保持される。また、エバポレータ４の左右両側にリフト機構６が設けられているので、エバポレータ４全体が持ち上げられる。これにより、エバポレータ４と冷却室３の底３１の間に手を入れるスペースができる。
【００５０】
そして、エバポレータ４は、第１リンク６３と第２リンク６４により、前後２箇所で支えられているので、エバポレータ４全体が冷却室３の底３１から離間して保持される。これにより、エバポレータ４と冷却室３の底３１との間のスペースがより広くなる。
【００５１】
このように、本実施形態では、レバー６２を操作することで、エバポレータ４を持ち上げることができるので、簡単な操作でエバポレータ４全体を冷却室３の底３１から離間させることができる。
【００５２】
そして、本実施形態では、ストッパ６２Ｃをレバー６２に設けたので、ストッパをレバー６２とは別個に設ける場合に比べて、構成を簡素化することができる。
【００５３】
次に、露出した冷却室３の底３１を拭いて、清掃を行う。このとき、エバポレータ４全体が冷却室３の底３１から離間しているので、エバポレータ４が載っていた部分全体を清掃することができる。
【００５４】
清掃が完了したら、レバー６２の把持部６２Ａを持って、レバー６２を後側へ倒すように回動させる。このとき、レバー６２と第１リンク６３の連結部６３Ａがレバー６２により後方へ引っ張られ、第１リンク６３は、エバポレータ４との連結部６３Ｂを中心に図２における時計回りに回動しながら、下方へ移動する。これにより、エバポレータ４が下方へ移動する。また、このとき、第２リンク６４は、エバポレータ４の下降にともなって、エバポレータ４の固定壁４３との連結部６４Ｂが下方へ移動する。これにより、エバポレータ４の前端部も下降し、エバポレータ４全体が冷却室３の底３１の上に載る。
【００５５】
エバポレータ４が降りたら、支持板４５を持ち上げて一対の側壁４２の上に移動し、ファン５をもとの位置へ戻す。そして、底板１２および通気孔板１３を取り付け、清掃を終了する。
【００５６】
以上、本考案の実施形態について説明したが、本考案は前記実施形態に限定されるものではない。具体的な構成については、本考案の趣旨を逸脱しない範囲で適宜変更が可能である。
【００５７】
前記実施形態では、レバー６２の回動を規制するストッパ６２Ｃがレバー６２に設けられていたが、本考案はこれに限定されるものではなく、ストッパは、レバー６２以外の部分に設けられていてもよい。例えば、ストッパを第１リンク６３に当たることができるようにエバポレータ４に設けてもよい。
【００５８】
そして、前記実施形態では、ストッパ６２Ｃが第１リンク６３に当接するように設けられていたが、本考案はこれに限定されるものではなく、ストッパは、第１リンク６３以外のリフト機構６を構成する部材に当接可能に設けてもよい。例えば、ストッパをレバー６２に当接可能となるように第１リンク６３またはエバポレータ４に設けてもよい。
【００５９】
前記実施形態では、エバポレータ４の左右両端に設けられたリフト機構６のレバー６２をそれぞれ操作することで、各リフト機構６を作動させていたが、本考案はこれに限定されるものではない。例えば、一方のリフト機構６が作動するのに連動して他方のリフト機構６も作動するように構成し、一方のレバー６２を操作するだけで、エバポレータ４全体が持ち上がるようになっていてもよい。これによれば、エバポレータ４を冷却室３の底３１から離間させるための操作がより簡単になる。
【００６０】
前記実施形態では、レバー６２の回動を規制するためのストッパ６２Ｃが設けられていたが、本考案はこれに限定されるものではない。例えば、各リンクの回動に摩擦（しぶみ）をもたせ、その摩擦力によってエバポレータ４を持ち上げた状態を保持するように構成してもよい。
【００６１】
前記実施形態では、エバポレータ４を持ち上げて保持することが可能なリフト機構として、第１リンク６３や第２リンク６４等を備えるリフト機構６を例示したが、リフト機構はこれに限定されない。例えば、図３に示すように、リフト機構として、スプリングステー７を採用してもよい。このスプリングステー７は、公知の構成を有し、例えば、冷却室３の底３１とエバポレータ４を繋ぐように設けられている。
【符号の説明】
【００６２】
１      冷蔵ショーケース
２      陳列室
３      冷却室
４      エバポレータ
５      ファン
６      リフト機構
７      スプリングステー
１０    ショーケース
１１    区画壁
３１    底
６２    レバー
６２Ａ  把持部
６２Ｂ  回動軸
６２Ｃ  ストッパ
６３    第１リンク
６４    第２リンク
【図１】
0003187428.tif 000003
【図２】
0003187428.tif 000004
【図３】
0003187428.tif 000005